(57)【要約】【課題】  本発明は、見た目には出入扉が大きく見え、外枠筐体の横幅が狭く見えるドラム式洗濯乾燥機を提供することを目的とする。【解決手段】  回転軸心線を横にした回転自在なる回転ドラム３０と、洗濯水を溜め、回転ドラムを内置する外槽２２と、外槽を内置する外枠筐体と、外枠筐体内に外槽を防振支持する防振支持手段を有し、外枠筐体は、ほぼ平坦の両側面部４と、後面部９と、ほぼ平坦で矩形状の前面部２と、前面部と両側面部との間に位置する湾曲コーナ面部５と、前面部の中央に設けられた開閉自在なる洗濯物の出入扉３を有し、湾曲コーナ面部の幅寸法Ａと前面部の幅寸法ＢがＡ＞Ｂであることを特徴とする。【選択図】図４
2008113976.tif 000002
【特許請求の範囲】
【請求項１】
回転軸心線を横にした回転自在なる回転ドラムと、前記回転ドラムを内包し洗濯水を溜める外槽と、前記外槽を内包する外枠筐体とを備えたドラム式洗濯機において、
前記外枠筐体は、ほぼ平坦の両側面部と、後面部と、ほぼ平坦の前面部と、前記前面部と両側面部との間に位置する湾曲コーナ面部と、前記前面部の中央に設けられた開閉自在なる洗濯物の出入扉を有し、
前記出入扉の幅方向寸法が最大となる高さ方向位置において、前記湾曲コーナ面部が占める外観上の幅方向寸法Ａと、前記前面部の両側方にそれぞれ設けられた前記湾曲コーナ面部のうち一方の湾曲コーナ面部とこの湾曲コーナ面部側の前記出入扉の縁との間に前記前面部が占める外観上の幅方向寸法Ｂとが、Ａ＞Ｂであることを特徴とするドラム式洗濯機。
【請求項２】
請求項１に記載のドラム式洗濯機において、
前記両側面部及び前記前面部は前記湾曲コーナ面部よりも大きな曲率の曲面を成すことを特徴とするドラム式洗濯機。
【請求項３】
請求項１に記載のドラム式洗濯機において、
前記湾曲コーナ面部と前記前面部の色相を異ならせたことを特徴とするドラム式洗濯機。
【請求項４】
請求項２に記載のドラム式洗濯機において、
前記前面部の色相を前記湾曲コーナ面部の色相よりも暗くしたことを特徴とするドラム式洗濯機。
【請求項５】
請求項１に記載のドラム式洗濯機において、
前記外枠筐体は、筐体本体部と、前記筐体本体部を載置するように支持するベース部と、前記前面部の下端側と前記ベース部との間に介在する下側湾曲コーナ面部とを有し、
前記下側湾曲コーナ面部と前記湾曲コーナ面部が連なるように設けられていることを特徴とするドラム式洗濯機。
【請求項６】
請求項１乃至４のいずれか１項に記載されたドラム式洗濯機において、
前記出入扉は円形状を有し、前記出入扉の幅方向寸法が最大となる高さ方向位置は前記出入扉の中心における高さ方向位置であることを特徴とするドラム式洗濯機。
【請求項７】
回転軸心線を横にした回転自在なる回転ドラムと、前記回転ドラムを内包し洗濯水を溜める外槽と、前記外槽を内包する外枠筐体とを備えたドラム式洗濯機において、
前記外枠筐体は、洗濯物の出入扉が設けられ前側の外表面を形成する前方筐体部と、前記前方筐体部の側縁部から奥行き方向に後退するように設けられ側面の外表面を形成する側方筐体部とを有し、
前記出入扉の幅方向寸法が最大となる高さ方向位置における幅方向寸法において、前記側方筐体部が占める幅方向寸法成分Ａと、前記前方筐体部の側縁部とこの側縁部側に位置する出入扉の縁との間に前記前方筐体部が占める幅方向寸法成分Ｂとが、Ａ＞Ｂであることを特徴とするドラム式洗濯機。
【請求項８】
回転軸心線を横にした回転自在なる回転ドラムと、洗濯水を溜め、前記回転ドラムを内置する外槽と、前記外槽を内置する外枠筐体と、前記外枠筐体内に前記外槽を防振支持する防振支持手段を有し、
前記外枠筐体は、ほぼ平坦の両側面部と、後面部と、ほぼ平坦で矩形状の前面部と、前記前面部と両側面部との間に位置する湾曲コーナ面部と、前記前面部の中央に設けられた開閉自在なる洗濯物の出入扉を有し、
前記出入扉は、外枠筐体の内側に設けられたヒンジ支持軸と、前記ヒンジ支持軸に回動自在に支持され湾曲形状を有するヒンジ腕とを有し、
前記ヒンジ腕は、出入扉が閉じられた状態では、前記前面部が占める外観上の幅方向寸法範囲を超えて、前記湾曲コーナ面部の裏側に移動することを特徴とするドラム式洗濯機。
【発明の詳細な説明】
【技術分野】
【０００１】
本発明は、洗濯或いは洗濯から乾燥まで通じて行うことができるドラム式洗濯機に関するものである。
【背景技術】
【０００２】
ドラム式洗濯機としては、例えば特許文献１に記載されたものがある。特許文献１に記載されたものを始めとして、ドラム式洗濯機では、一般的に、回転軸心線を横にした回転自在なる回転ドラムと、回転ドラムを内包して洗濯水を溜める外槽と、外槽を内包する外枠筐体と、外枠筐体内に外槽を防振支持する防振支持手段とを有する。外枠筐体は筐体本体部と筐体本体部を載置するように支持するベース部とを有し、筐体本体部はほぼ平坦の両側面部と後面部とほぼ平坦で矩形状の前面部と前面部に設けられ洗濯物を出し入れするための出入扉とを有する。
【０００３】
【特許文献１】特開２００３−２４６８９号公報
【発明の開示】
【発明が解決しようとする課題】
【０００４】
この種のドラム式洗濯乾燥機、ないしドラム式洗濯機においては、回転ドラムの径を大きくすると同じ容量の場合は奥行き方向が小さくなるが、幅方向は大きくなる。このため、洗濯物を出し入れするための出入扉を大きくしても出入扉と外枠筐体の距離が大きいと出入扉が小さく見え、見栄えがしないという問題があった。また、外枠筐体の横幅が大きく見えると、ドラム式洗濯機を配置した室内が狭く感じられる。
【０００５】
本発明は、見た目には出入扉が大きく見え、外枠筐体の横幅が狭く見えるドラム式洗濯機を提供することを目的とする。
【課題を解決するための手段】
【０００６】
上記目的を達成するために、本発明のドラム式洗濯機は、回転軸心線を横にした回転自在なる回転ドラムと、洗濯水を溜め、前記回転ドラムを内置する外槽と、前記外槽を内置する外枠筐体とを有し、前記外枠筐体は、ほぼ平坦の両側面部と、後面部と、ほぼ平坦で矩形状の前面部と、前記前面部と両側面部との間に位置する湾曲コーナ面部と、前記前面部の中央に設けられた開閉自在なる洗濯物の出入扉を有し、前記出入扉の幅方向寸法が最大となる高さ方向位置において、前記湾曲コーナ面部が占める外観上の幅方向寸法Ａと、前記前面部の両側方にそれぞれ設けられた前記湾曲コーナ面部のうち一方の湾曲コーナ面部とこの湾曲コーナ面部側の前記出入扉の縁との間に前記前面部が占める外観上の幅方向寸法Ｂとが、Ａ＞Ｂであることを特徴とする。
また、上記目的を達成するために、本発明のドラム式洗濯機は、回転軸心線を横にした回転自在なる回転ドラムと、前記回転ドラムを内包し洗濯水を溜める外槽と、前記外槽を内包する外枠筐体とを備えたドラム式洗濯機において、前記外枠筐体は、洗濯物の出入扉が設けられ前側の外表面を形成する前方筐体部と、前記前方筐体部の側縁部から奥行き方向に後退するように設けられ側面の外表面を形成する側方筐体部とを有し、前記出入扉の幅方向寸法が最大となる高さ方向位置における幅方向寸法において、前記側方筐体部が占める幅方向寸法成分Ａと、前記前方筐体部の側縁部とこの側縁部側に位置する出入扉の縁との間に前記前方筐体部が占める幅方向寸法成分Ｂとが、Ａ＞Ｂであることを特徴とする。
また、上記目的を達成するために、本発明のドラム式洗濯機は、回転軸心線を横にした回転自在なる回転ドラムと、洗濯水を溜め、前記回転ドラムを内置する外槽と、前記外槽を内置する外枠筐体と、前記外枠筐体内に前記外槽を防振支持する防振支持手段を有し、前記外枠筐体は、ほぼ平坦の両側面部と、後面部と、ほぼ平坦で矩形状の前面部と、前記前面部と両側面部との間に位置する湾曲コーナ面部と、前記前面部の中央に設けられた開閉自在なる洗濯物の出入扉を有し、前記出入扉は、外枠筐体の内側に設けられたヒンジ支持軸と、前記ヒンジ支持軸に回動自在に支持され湾曲形状を有するヒンジ腕とを有し、前記ヒンジ腕は、出入扉が閉じられた状態では、前記前面部が占める外観上の幅方向寸法範囲を超えて、前記湾曲コーナ面部の裏側に移動することを特徴とする。
【発明の効果】
【０００７】
本発明によれば、見た目には出入扉が大きく見え、外枠筐体の横幅が狭く見えるドラム式洗濯機を提供できる。
【発明を実施するための最良の形態】
【０００８】
以下、本発明の実施形態に係わる実施例について、図を引用して説明する。なお、以下に述べる実施例はドラム式洗濯乾燥機であるが、本発明はドラム式洗濯機にも適用できる。
【０００９】
図１は本発明の実施形態に係るもので、ドラム式洗濯乾燥機の斜視図を示す。
外枠筐体は、筐体本体部２１と、筐体本体部２１を載置するように支持するベース部１を有する。
【００１０】
筐体本体部２１は、ほぼ平坦の両側面部４と、後面部９と、ほぼ平坦で矩形状の前面部２と、前面部２と両側面部４との間に位置する湾曲コーナ面部５と、前面部２の中央に設けられた開閉自在なる洗濯物の出入扉３とを有する。前面部２は洗濯物の出入扉３が設けられ外枠筐体の前側の外表面を形成する第１の筐体部（前方筐体部）を構成し、湾曲コーナ面部５及び両側面部４は第１の筐体部の側縁部から後退するように設けられ側面の外表面を形成する第２の筐体部（側方筐体部）を構成する。
【００１１】
更に、筐体本体部２１は、湾曲上面部６，下側湾曲コーナ面部７，凹状の天井面部８，前面部２の一部である下側前面部２００を有する。天井面部８は凹状になっているので、洗剤等の小物を一時的に置くことができる。尚、ほぼ平坦の両側面部４及びほぼ平坦の前面部２は、両側面部４及び前面部２が完全に平らな状態のほか、湾曲コーナ面部５よりも大きな曲率の曲面を成していてもよい。また、強度を高めるための凹凸を有していても良い。
【００１２】
両側面部４と後面部９と前面部２とは、それぞれを別々の部品に分割した方が製造上容易であるが、各部を適宜一体に成形することも可能である。例えば、両側面部４と湾曲コーナ面部５とを一体成形した１つの部材としても良いし、両側面部４と後面部９とを一体成形した１つの部材としても良い。しかし、両側面部４の強度を高めて骨組みを兼ねる構造部材とする場合には、材料や板材の厚みの関係から湾曲コーナ面部５とは別部材として構成した方が有利である。また湾曲コーナ面部５は大きな曲率の曲面で構成されるため、湾曲コーナ面部５よりも平らな両側面部４と前面部２とは別部材として構成するほうが有利である。いずれにしても、前面部２と湾曲コーナ面部５との境目は、部材の境界のみによって決定されるものではなく、一体成形されたものにあっては、本発明の効果を考慮して、色相の境界，曲率の変化具合などによって特定される。
【００１３】
湾曲上面部６には洗剤トレー１０，乾燥フィルタ１１が両側に配置されている。また、ドラム式洗濯乾燥機を制御するための操作部１２と表示部１３が湾曲上面部６のほぼ中央部付近に配置されている。両側面部４には本体を持ち運びするため下部に下側取っ手１４が複数個設けられ、上側に上側取っ手１５が設けられている。特に上側の取っ手１５は、出入扉３が前面側にあるフロントオープン式のドラム式洗濯乾燥機では重量の有る駆動部が後側なるので後方に位置させている。
【００１４】
ベース部１には洗濯水を排水するための排水ホース１６が取付けられており、そのホース１６を固定するためのホース取付け穴１７が設けられている。また、ベース部１の四隅には取付け脚１８が設けられている。この取付け脚１８はゴムで形成され、ドラム式洗濯乾燥機の運転時の振動を減衰させている。
【００１５】
前面部２の右上部には出入扉３を開くための押しボタンスイッチ１９が設けられ、下側前面部２００には洗濯物のリントを捕集するためのリントフィルタ２０が設けられている。
【００１６】
なお、上記の外枠筐体は筐体本体部２１とベース部１を有するが、ベース部１を設けず、筐体本体部２１に取付け脚１８を設けるようにすることも可能である。この場合は、筐体本体部が外枠筐体になる。
【００１７】
図２，図３は本発明の実施形態に係るもので、ドラム式洗濯機の縦断面図、および横断面図を示す。
【００１８】
全体の外郭部を構成している筐体本体部２１の内側には外槽２２が備えられる。外槽
２２の下部には複数個のサスペンション２３が備えられ、外槽２２を下から支持している。また、外槽２２の上部は、前後に配置された二個の引きバネ２４，２５により支持している。
【００１９】
サスペンション２３は外槽２２および付属する全重量を支持するものであり、強固な構成にできている。また、脱水運転時に生じる外槽２２の共振による異常振動を防止するための減衰機構などが設けられている。また、外槽２２の上部から支持している引きバネ
２４，２５は外槽２２の前後方向の倒れ防止を兼ねた支持や脱水時の前後，上下及び左右方向の振動を低減するために設けられている。
【００２０】
洗濯やすすぎ時には、水道の蛇口に接続された給水ホース２６，給水電磁弁２７に接続された注水ホース２８，洗剤トレー１０を経由して、洗濯やすすぎに必要な水が供給される。
【００２１】
供給された水は外槽２２の底部に洗濯水として、またすすぎ時にはすすぎ水として溜められている。洗剤トレー１０には洗濯時に必要な洗剤を投入し、すすぎ時には仕上がりをよくするために柔軟仕上げ剤を投入する。洗濯時には、注水ホース２８から供給された水が洗剤トレー１０の洗剤を溶かしながら外槽２２の上部からフレキシブルホース２９を介して投入される。
【００２２】
外槽２２の内側にある回転ドラム３０には出入扉３を開けて投入されて洗濯物３１が内置される。回転ドラムの回転軸心線の方向は横になっている。これは回転軸心線を鉛直方向にした縦型の洗濯機と異なることを意味している。この場合、回転軸心線は水平であっても良いし、後ろ側が前側よりも低くなるように水平から傾けた状態のものを含む。
【００２３】
回転ドラム３０の開口部の外周には、脱水時の洗濯物３１によるアンバランス振動を低減するための流体バランサー３２が設けられている。回転ドラム３０の内側には、脱水時に高速回転で洗濯物３１に含まれている水分を脱水するための脱水穴３３が全周に複数個設けられている。
【００２４】
また、回転ドラム３０の内側には洗濯時に洗濯物を掻き揚げられるようにするために複数個のリフター３４が設けられている。回転ドラム３０は回転ドラム用金属製フランジ
３５に連結された主軸３６を介して回転ドラム駆動用モータ３７に直結されている。回転ドラム駆動用モータ３７は外槽２２に固定された金属製フランジ３５に取付けられている。本実施例の場合、回転ドラム駆動用モータ３７は磁石埋め込み形のインナーロータでステータは集中巻の巻線を有するＤＣブラシレスモータを使用している。
【００２５】
外槽２２の開口部には弾性体からなるゴム系のベローズ３８が取付けられている。このべローズ３８は出入扉３を構成する耐熱ガラスと接するように構成されている。
【００２６】
洗濯やすすぎが終了して不要になった水や脱水時に洗濯物３１から脱水された水は排水弁３９を開放して排水ホース１６から排水される。
【００２７】
乾燥時は送風ファン４０により送風された送風は洗濯物３１が入った回転ドラム３０の中及び外周を通ってくるためリントが含まれるので必ず乾燥フィルタ１１を通す必要がある。このため、乾燥フィルタ１１を経由してヒータ４１に送風し、加熱された温風は外槽上部に設けられた開口部４２より回転ドラム３０の中に送風される。
【００２８】
温風は洗濯物３１を通って回転ドラム３０の後部から外槽２２の底部に設けられた除湿装置４３の通風口４４を通って除湿され送風ファン４０により循環を繰り返して洗濯物
３１を乾燥させる。また、回転ドラム３０の奥行き寸法はＬで示され、径寸法はＰで示されている。
【００２９】
次に本発明の主要部について、図２，図４を引用して説明する。
図４は、ドラム式洗濯乾燥機を正面から見た正面図である。
ドラム式洗濯乾燥機は、出入扉３の直径をＤ、前面部２の幅寸法をＷｉ、両側面部４の両側の幅寸法をＷｏとすると、外枠筐体の前側を横切る仮想線Ｘ上での湾曲コーナ面部５の寸法幅Ａと前面部２の寸法幅Ｂは、Ａ＝（Ｗｏ−Ｗｉ）／２，Ｂ＝（Ｗｉ−Ｄ）／２の関係となる。
【００３０】
なお、仮想線Ｘは、出入扉３が円形状の場合には出入扉３の中央を横切ることを条件とし、円形状以外の場合、例えば四角形状などでは幅方向寸法が最大となる高さ方向位置を通るものとする。また、各寸法は、外観上の寸法であり、出入扉３が閉じられた状態で、装置の外側に露出している部分によって測られるものとする。
【００３１】
外枠筐体の両端側に湾曲コーナ面部５を設けたので、両側面部４との境界が明確にならずぼやけるのでより前面部２が強調され、ドラム式洗濯乾燥機の外枠筐体の横幅が狭く見える効果が大きくなる。この外枠筐体の横幅が狭く見える効果により、部屋が狭く感じる不具合が解消される。
【００３２】
また、湾曲コーナ面部５，湾曲上面部６，下側湾曲コーナ面部７により、外枠筐体の回りが曲面になる。このため、外枠筐体を縁取る稜線がぼやけて前面部２が強調されるデザインになるとともに曲面により断面係数が増して機械強度も大きくなり振動による騒音を小さくすることができる。
【００３３】
本実施例の場合、両側面部４の両側の幅寸法Ｗｏと出入扉３の直径Ｄは、外枠筐体に内置される回転ドラムの径により決る。このため、Ａ寸法幅を大きくすることによりＢ寸法幅を小さくして前面部２の幅寸法Ｗｉに対して出入扉３の直径Ｄの比率を大きくした。
【００３４】
言い換えると、出入扉３の幅方向寸法が最大となる高さ方向位置において、湾曲コーナ面部５が占める外観上の幅方向寸法（成分）Ａと、前面部２の両側方にそれぞれ設けられた湾曲コーナ面部５のうち一方の湾曲コーナ面部５とこの湾曲コーナ面部５側の出入扉３の縁との間に前面部２が占める外観上の幅方向寸法（成分）Ｂとが、Ａ＞Ｂの関係となるようにした。
【００３５】
更に言い換えると、出入扉３の幅方向寸法が最大となる高さ方向位置における幅方向寸法において、湾曲コーナ面部５及び両側面部４によって構成される第２の筐体部が占める幅方向寸法（成分）Ａと、第１の筐体部の側縁部とこの側縁部側に位置する出入扉３の縁との間に第１の筐体部が占める幅方向寸法（成分）Ｂとが、Ａ＞Ｂの関係になるようにした。両側面部４が曲面を有しない平坦面のみで形成される場合には、第２の筐体部が占める幅方向寸法（成分）Ａは湾曲コーナ面部５のみによって形成されることになる。
【００３６】
Ａ＞Ｂの条件とすることにより、より比率を小さくし出入扉３が大きく見えるようにすることができる。出入扉３が大きく見えるので見栄えが良くなり、使い勝手も良く感じられる。
【００３７】
なお、本実施例ではＷｉ＝５５３（mm），Ｗｏ＝６９５（mm），Ｄ＝４８０（mm）なので、Ａ＝７１（mm），Ｂ＝３６.５（mm）となりＡ＞Ｂとなっている。
【００３８】
外枠筐体の横幅を小さく見えるようにするには、前面部２を強調することが必要である。このため、前面部２の側面部に位置する湾曲コーナ面部５の色相を変えることにより、より効果が大きくなる。
【００３９】
色相の他に彩度及び明度を変えても色相のときよりは少ないが同様の効果を出すことができる。明度及び彩度は小さくすると黒に近づき、大きくすると白に近づくのでこの値の差が２０％以上にすると明らかに目視でも有意差がでる。
【００４０】
本実施例では両側の湾曲コーナ面部５と下側湾曲コーナ面部７を同一色として前面部２の色相と異なり、且つ彩度は及び明度は前面部２の方を小さくすることにより前面部２の部分がより強調される。これにより、外枠筐体の横幅を小さく見えるようにした。
【００４１】
また、下側湾曲コーナ面部７と湾曲コーナ面部５が連なるように形成したので、一体感のあるすっきりとしたまとまりの良いデザインである。下側湾曲コーナ面部７まで同一色とすることにより高さ方向も小さく見え、ドラム式洗濯乾燥機全体がコンパクトに見える効果がある。
【００４２】
なお、本実施例の効果が明確になるためには内置される回転ドラムの径をＰ、奥行き寸法をＬとすると、Ｐ／２＞Ｌの条件が成り立つようにする。すなわち、回転ドラムの径が大きいドラム式洗濯乾燥機においてはより効果が大となる。本実施例ではＰ＝６００(mm)，Ｌ＝２９３（mm）となっている。
【００４３】
外枠筐体の横幅が見かけ上、前面部２に正面から見たときになるので、出入扉３を大きく見せるためには、前面部２の寸法幅Ｂを極力小さくする必要がある。外枠筐体の構成は、回転ドラムの寸法が決ると両側面部４の両側の幅寸法Ｗｏと出入扉３の直径Ｄが決るため調整代は（Ａ＋Ｂ）間の寸法のみとなる。本実施例は、この（Ａ＋Ｂ）間の寸法の内、Ａの寸法を大きくし、Ｂの寸法を小さくすることによりドラム式洗濯機本体の横幅寸法を見かけ上小さく見せ、出入扉を大きくみせるようにした。
【００４４】
出入扉３の大きさは、前面部２の幅Ｗｉと出入扉３の直径Ｄの比が１に近いほど相対的に大きくなるので、この比Ｋ＝Ｗｉ／Ｄは
１＜Ｋ＜１.２
の範囲内にとると良い。
【００４５】
出入扉３のヒンジに関し、図２を引用して説明する。
出入扉３は、裏面の片側端部にヒンジ腕５０を有する。ヒンジ腕５０の先端部は、前側補強板５１に設けたヒンジ支持軸５２に回動自在に支持される。ヒンジ腕５０は、半円以上回込む湾曲形状を有する。ヒンジ支持軸５２は、前面部２の寸法幅Ｂのところの裏側に位置するように設ける。このため、ヒンジ支持軸５２は外枠筐体の内側に設けられ、ヒンジ腕５０は出入扉３が閉じられた状態では、外枠筐体内に隠れるように位置し、出入扉３が開かれるに従って外枠筐体の外側に突き出してくる構造になっている。
【００４６】
ヒンジ腕５０の端側個所５３は、図２の図示では寸法幅Ａと寸法幅Ｂの間（湾曲コーナ面部５と前面部２の間）に位置している。出入扉３を閉じると、端側個所５３は、寸法幅Ａと寸法幅Ｂの間を越えて湾曲コーナ面部５の裏側に移動する。
【００４７】
このように、出入扉３を、外枠筐体の内側に設けられたヒンジ支持軸と、前記ヒンジ支持軸に回動自在に支持され湾曲形状を有するヒンジ腕とを有するヒンジによって、回動可能に支持し、出入扉３が閉じられた状態では、ヒンジ腕５０が、前面部２が占める外観上の幅方向寸法範囲を超えて、湾曲コーナ面部５の裏側に移動する構造とすることにより、湾曲コーナ面部５と出入扉３の間に寸法幅Ａよりも狭い寸法幅Ｂを介在して出入扉３を大きく見せる構成のドラム式洗濯乾燥機を実現できる。
【図面の簡単な説明】
【００４８】
【図１】本発明の実施例に係るもので、ドラム式洗濯乾燥機の斜視図を示す。
【図２】本発明の実施例に係るもので、ドラム式洗濯乾燥機の横断面図を示す。
【図３】本発明の実施例に係るもので、ドラム式洗濯乾燥機の縦断面図を示す。
【図４】本発明の実施例に係るもので、ドラム式洗濯乾燥機の正面図を示す。
【符号の説明】
【００４９】
１  ベース部
２  前面部
３  出入扉
４  両側面部
５  湾曲コーナ面部
６  湾曲上面部
７  下側湾曲コーナ面部
８  天井面部
９  後面部
１０  洗剤トレー
１１  乾燥フィルタ
１２  操作部
１３  表示部
１４  下側取っ手
１５  上側取っ手
１６  ホース
１７  ホース取付け穴
１８  取付け脚
１９  押しボタンスイッチ
２０  リントフィルタ
２１  筐体本体部
【図１】
2008113976.tif 000003
【図２】
2008113976.tif 000004
【図３】
2008113976.tif 000005
【図４】
2008113976.tif 000006